(57)【要約】【課題】球を振り分ける方向が変化に富むようにする。【解決手段】合成樹脂または金属からなる板厚の薄い短冊状の板ばねのような弾性体により構成された複数の羽根４が胴体２の周面から放射状に突出するように胴体２に設けられ、支柱５が胴体２の前側から軸受孔３を経由して遊技盤２１の遊技領域２３から内部に打ち込まれ、頭部８が軸受孔３の周りにおける胴体２の前面と対向し、胴体２の裏面が遊技領域２３と対向し、羽根４の板面７が遊技領域２３と直交し、風車装置１が支柱５を中心として遊技領域２３と平行な方向に回転し得るように遊技盤２１に取り付けられ、球が風車装置１の外側から羽根４に衝突した場合、球が羽根４に衝突する位置や強さの違いによって、球が風車装置１から振り分けられる方向が変化に富む。羽根は、コイルスプリングで構成されたり、または、胴体２の周面から径方向外側に渦巻き状に突出したりする形状であってもよい。【選択図】図１
2007244434.tif 000002
【特許請求の範囲】
【請求項１】
筒状の胴体と、胴体を遊技盤の前面と平行な方向に回転し得るように遊技盤に取り付ける支柱と、胴体の周面から放射状に突出するように胴体に設けられた複数の羽根とを備え、１つ以上の羽根が球の衝突で撓み得る弾性体で形成されたことを特徴とするパチンコ遊技機の風車装置。
【請求項２】
全部の羽根が球の衝突で撓み得る弾性体で形成されたことを特徴とする請求項１記載のパチンコ遊技機の風車装置。
【請求項３】
筒状の胴体と、胴体を遊技盤の前面と平行な方向に回転し得るように遊技盤に取り付ける支柱と、胴体の周面から径方向外側に渦巻き状に突出するように胴体に設けられた羽根とを備え、羽根が球の衝突で撓み得る弾性体で形成されたことを特徴とするパチンコ遊技機の風車装置。
【発明の詳細な説明】
【技術分野】
【０００１】
本発明は、球を振り分ける方向が変化に富むパチンコ遊技機の風車装置に関する。
【背景技術】
【０００２】
図７を参照し、公知のパチンコ遊技機について説明する。パチンコ遊技機は、遊技盤２１の前面のガイドレール２２で囲まれた内側の遊技領域２３には、球発射通路２４が接続される。球発射通路２４は、ガイドレール２２の左右に相対峙する端部間の隙間により構成される。遊技領域２３には、風車装置２５、入賞部品２６、アウト口２７、球戻り防止弁２８、遊技釘２９、図外のその他の遊技部品が設けられる。その他の遊技部品としては、サイドランプ、フィギャー、キャラクターなどである。遊技領域２３が遊技機枠３１の前側から遊技機枠３１の前面に設けられた前面パネル３２を経由して視認可能になるように、遊技盤２１が遊技機枠３１の内部に格納される。そして、遊技盤２１の裏面や遊技機枠３１の裏側に取り付けられた図外の制御装置が供給された電力によって起動し、遊技者がパチンコ球と呼ばれる球を遊技機枠３１の前面に設けられた球受皿部３３に入れ、遊技者が遊技機枠３１の前面に設けられた球発射操作機構３４を右側に回転するように操作すると、制御装置が球発射機構３５を球発射操作機構３４の操作量に応じた発射力で駆動するように制御し、球発射機構３５が球受皿部３３から遊技機枠３１の内部に取り込まれた球を１個ずつ球発射通路２４に向けて発射する。球発射通路２４に発射された球は、球発射通路２４を上昇し、ガイドレール２２に接触して誘導されながら、球戻り防止弁２８を押し開けて遊技領域２３に到達する。遊技領域２３に到達した球は、遊技領域２３を流下する過程において、風車装置２５、入賞部品２６、遊技釘２９、その他の遊技部品などに衝突して、流れる方向を変えながら、入賞部品２６に入って遊技盤２１の裏側に排出される。入賞部品２６に入賞した球は、当該入賞部品に設けられた図外の球検出器で検出される。この球を検出した球検出器は、入賞信号を制御装置に出力する。入賞信号が制御装置に入力されると、制御装置が入力された入賞信号に対応する個数の賞球を払い出すように遊技機枠３１の裏側に設けられた図外の球払出機構を制御し、球払出機構が賞球としての球を遊技者に払い出すべく球受皿部３３に払い出す。入賞部品２６に入らずに遊技領域２３の最下部に到達した球は、アウト口２７を経由して遊技盤２１の裏側に排出される。しかしながら、風車装置２５の胴体３６と、胴体３６から放射状に突出した複数の羽根３７は、球の衝撃に耐えるために弾性の乏しい形状である。このため、風車装置２５の羽根３７が胴体３６を中心として遊技領域２３に平行な方向に回転するように、風車装置２５が支柱３８で遊技盤２１に取り付けられた状態において、球が遊技領域２３に平行な方向から羽根３７に衝突した場合、衝突した球が左右に振り分けられ、その反動として風車装置が回転するものの、風車装置２５からの左右に振り分けられる球の方向が単調であるという欠点がある（特許文献１、特許文献２、特許文献３）。また、図外の環状のコイルスプリングまたは環状のゴムバンドが複数の羽根３７を囲むように複数の羽根３７の外縁部に取り付けられた構造も知られている。しかしながら、コイルスプリングの場合は、左右に振り分けられる球の方向が単調であるうえ、球が衝突した場合におけるコイルスプリングの撓みが少ないという不都合があり、ゴムバンドの場合は、ゴムバンドの耐久性に欠けるという不都合がある（特許文献４）。
【特許文献１】特公昭５８−５２６６７号公報
【特許文献２】実開平６−２９５８０号公報
【特許文献３】特開２００１−７０５２３号公報
【特許文献４】実開昭５８−７３２８０号公報
【発明の開示】
【発明が解決しようとする課題】
【０００３】
発明が解決しようとする問題点は、風車装置で振り分けられる球の方向が単調で、耐久性に欠けるという点である。
【課題を解決するための手段】
【０００４】
１つの本発明に係るパチンコ遊技機の風車装置は、胴体と、胴体の周面から放射状に突出するように胴体に設けられた複数の羽根と、胴体を遊技盤の前面と平行な方向に回転し得るように遊技盤に取り付ける支柱とを備え、１つ以上の羽根が球の衝突で撓み得る弾性体で形成されたことを最も主要な特徴とする。もう１つの本発明に係るパチンコ遊技機の風車装置は、胴体と、胴体の周面から径方向外側に渦巻き状に突出するように胴体に設けられた羽根と、胴体を遊技盤の前面と平行な方向に回転し得るように遊技盤に取り付ける支柱とを備え、羽根が球の衝突で撓み得る弾性体で形成されたことを最も主要な特徴とする。全部の羽根が球の衝突で撓み得る弾性体で形成されてもよい。
【発明の効果】
【０００５】
本発明に係るパチンコ遊技機の風車装置は、球が風車装置の外側から羽根に衝突した場合、球が羽根に衝突する位置や強さの違いによって、球を振り分ける方向が変化に富むという利点がある。全部の羽根が球の衝突で撓み得る弾性体で形成されれば、球を振り分ける方向が、一層、変化に富むという利点がある。
【発明を実施するための最良の形態】
【０００６】
図１および図２は、発明を実施するための最良の形態である。図１のａ図は、風車装置１を分解して示す。図１のｂ図は、胴体２と軸受孔３および羽根４からなる単一構造体の正面を示す。図１のｃ図は、風車装置１の取り付けられた遊技盤２１が遊技機枠３１に格納された縦断面を示す。図２のａ図乃至ｄ図は、風車装置１の作用を示す。本明細書において、「前」、「表」、「後」、「裏」、「左」、「右」、「上」、「下」の方向は、図７の状態にパチンコ遊技機を置いて図７の紙面の前側から見た場合に特定される方向である。「前」および「表」は、同じ方向である。「後」および「裏」は、同じ方向である。
【０００７】
図１を参照し、パチンコ遊技機の風車装置１における構造について説明する。図１のａ図において、風車装置１は、胴体２、軸受孔３、複数の羽根４、支柱５を備える。胴体２は、前後方向に直線的に延びた筒状に構成される。軸受孔３は、胴体２の中心部に前後方向への貫通孔として設けられる。複数の羽根４は、胴体２の周面から放射状に突出するように胴体２に設けられる。羽根４は、球の衝突で撓み得る弾性体で形成される。
【０００８】
図１のｂ図に示すように、胴体２の外周面には、羽根取付部６が、胴体２を周方向に３等分した位置から胴体２の径方向外側に突出して設けられる。羽根４を構成する弾性体は、合成樹脂または金属からなる板厚の薄い短冊状の板ばねとして構成される。羽根４の一端部が羽根取付部６に埋め込まれて固定され、羽根４の他端部が羽根取付部６との付け根から胴体２の径方向外側に直線的に延長する。これによって、３つの羽根４の板面７が互いに、胴体２の周方向に１２０度の間隔を有し、胴体２の周面から放射状に直線的に突出する。支柱５は、有頭釘のような部材である。支柱５の一端部には、頭部８が、支柱５よりも外径の大きな形状に設けられる。
【０００９】
図１のｃ図を参照し、風車装置１が遊技盤２１に取り付けられた構造について説明する。支柱５が胴体２の前側から軸受孔３及び遊技領域２３を経由して遊技盤２１の内部に打ち込まれる。これによって、頭部８が軸受孔３の周りにおける胴体２の前面と対向し、胴体２の裏面が遊技領域２３と対向し、羽根４の板面７が遊技領域２３と直交し、風車装置１が支柱５を中心として遊技領域２３と平行な方向に回転し得るように遊技盤２１に取り付けられる。遊技盤２１が遊技機枠３１（図７参照）に格納された場合、風車装置１よりも前側には、前面パネル３２が風車装置１と非接触に配置される。前面パネル３２と遊技領域２３との間は、パチンコ球と呼ばれる球Ｐが落下する空間として構成される。風車装置１と前面パネル３２との間の間隙は、空間を落下する球Ｐが入り込めない寸法に設定される。
【００１０】
図２を参照し、遊技盤２１に取り付けられた風車装置１の動作について説明する。図２のａ図は、風車装置１が支柱５を軸として回転しても、羽根４が風車装置１の周囲における遊技釘２９に触れることがなく、羽根４の外縁部が描く円周Ｌ１と遊技釘２９との間の隙間が１個の球Ｐ１；Ｐ２の直径よりも大きくなるように、風車装置１が遊技盤２１に取り付けられた場合である。球Ｐ１；Ｐ２は、パチンコ球と呼ばれる同じ球である。図２のａ図において、球Ｐ１が矢印Ｘ１で示すように風車装置１の外側から羽根４の板面７に衝突した場合、羽根４が全体的に仮想線で示すように弧状に撓む。この羽根４の弧状の撓み方は、一様ではなく、球Ｐ１が板面７に衝突する位置や強さの違いによって、種々の形状になる。このため、球Ｐ１が板面７に衝突する位置や強さの違いによって、球Ｐ１が風車装置１から振り分けられる方向は変化に富むという利点がある。風車装置１は、球Ｐ１の衝突の反動として、支柱５を中心として遊技領域２３に平行に回転する。また、球Ｐ２が矢印Ｘ２で示すように風車装置１の外側から羽根４の外縁部の端面に直角に衝突した場合、羽根４が羽根取付部６との付け根の側に押し潰されるように全体的に仮想線で示すように蛇行するように撓む。この羽根４の蛇行するような撓み方は、一様ではなく、球Ｐ２が羽根４の外縁部に衝突する位置や強さの違いによって、種々の形状になる。このため、球Ｐ２が羽根４の外縁部に衝突する位置や強さの違いによって、球Ｐ２が風車装置から振り分けられる方向は変化に富むという利点がある。風車装置１は、球Ｐ２の衝突の反動として、支柱５を中心として遊技領域２３に平行に回転する。
【００１１】
図２のｂ図は、風車装置１が支柱５を軸として回転しても、羽根４が風車装置１の周囲における遊技釘２９に触れることがなく、羽根４の外縁部が描く円周Ｌ１と遊技釘２９との間の間隔が１個の球Ｐ３；Ｐ４の直径よりも小さくなるように、風車装置１が遊技盤２１に取り付けられた場合である。図２のｂ図において、１つの羽根４の外縁部が遊技釘２９と対向するように停止し、当該１つの羽根４の外縁部と遊技釘２９とで球Ｐ３が支持された状態において、別の１つの球Ｐ４が矢印Ｘ３で示すように風車装置１の上方から羽根４の外縁部に衝突した場合、羽根４が羽根取付部６を固定点として全体的に仮想線で示すように蛇行して撓み、球Ｐ４が矢印Ｘ４で示すように飛び跳ねる。その反動として、風車装置１が支柱５を中心として矢印Ｘ５で示す方向に回転し、上記遊技釘２９との共同で球Ｐ３を支持していた羽根４が撓み、球Ｐ３が遊技釘２９と羽根４との間から矢印Ｘ６で示す方向に落下する。そして、球Ｐ３が羽根４および遊技釘２９から外れると、風車装置１は支柱５を中心として遊技領域２３に平行に回転する。
【００１２】
図２のｃ図は、風車装置１が支柱５を軸として回転すると、羽根４が風車装置１の周囲における遊技釘２９に接触するように、風車装置１が遊技盤２１に取り付けられた場合である。図２のｃ図において、１つの羽根４が遊技釘２９に上方から接触して支持され、別の１つの羽根４が支柱５から上方に延びた垂線Ｌ２よりも左にずれた状態であって、球Ｐ５が矢印Ｘ７で示すように風車装置１の上方から羽根４の板面７に衝突した場合、該羽根４が羽根取付部６と遊技釘２９とを固定点として全体的に仮想線で示すように下方に凸となる弧状に撓む。この羽根４の弧状の撓み方は、一様ではなく、球Ｐ５が板面７に衝突する位置や強さの違いによって、種々の形状になる。そして、球Ｐ５の板面７に衝突する衝撃が強く、羽根４が下方に凸に大きく弧状の撓んだ後に遊技釘２９から外れると、風車装置１は支柱５を中心として遊技領域２３に平行に回転する。
【００１３】
図２のｄ図は、風車装置１が支柱５を軸として回転すると、羽根４が風車装置１の周囲における遊技釘２９に接触するように、風車装置１が遊技盤２１に取り付けられた場合であって、図２のｃ図との違いは、風車装置１と遊技釘２９との相対的な位置関係が異なることである。図２のｄ図において、１つの羽根４が遊技釘２９に上方から接触して支持され、別の１つの羽根４が支柱５から上方に延びた垂線Ｌ２よりも右にずれた状態であって、球Ｐ６が矢印Ｘ８で示すように風車装置１の上方左側から上記垂線Ｌ２よりも右にずれた１つの羽根４の板面７に斜め右側に衝突した場合、上記遊技釘２９に接触していた１つの羽根４が遊技釘２９にさらに強く上方から接触して仮想線で示すように左に凸となる弓状に撓む。この羽根４の弓状の撓み方は、一様ではなく、球Ｐ６が板面７に衝突する位置や強さの違いによって、種々の形状になる。そして、球Ｐ６の板面７に衝突する衝撃が強く、上記１つの羽根４が大きく弧状に撓んだ後に遊技釘２９から外れると、風車装置１は支柱５を中心として遊技領域２３に平行に回転する。
【産業上の利用可能性】
【００１４】
図３は、異なる第１の形態に係る風車装置１を示す。図３のａ図に示すように、胴体２には、化粧盤１１が設けられる。図３のｂ図に示すように、化粧盤１１は、胴体２の前部から径方向外側に突出した板状として、胴体２に固定され、羽根４から遊離される。羽根４が化粧盤１１で拘束されないので、羽根４の撓み性能が確保されるという利点がある。図示はしないが、羽根４の外縁部が化粧盤１１よりも外側に位置するように、羽根４の胴体２からの長さを長くしてもよい。
【００１５】
図４は、異なる第２の形態に係る風車装置１を示す。図４のａ図は、羽根４の外縁部に重ね合わせ部９を有する。重ね合わせ部９は、羽根４の外縁部が折り返されて重ね合わされた構造である。図４のｂ図は、羽根４の外縁部に筒状部１０を有する。筒状部１０は、羽根４の外縁部が筒状に折り曲げられた構造である。図４のａ図およびｂ図の構造によれば、羽根４が板厚の薄い金属からなる板ばねで形成されても、羽根４の外縁部の鋭利さが解消されるという利点がある。
【００１６】
図５は、異なる第３の形態に係る風車装置１を示す。図５のａ図に示すように、羽根４（図１参照）に相当する羽根１２が、合成樹脂または金属からなる線材を螺旋状に巻いたコイルスプリングのような形状に構成される。図４のｂ図に示すように、羽根１２は、胴体２の周方向の３等分位置に配置された３組であって、各組で胴体２の軸心方向に複数本配置され、３組×複数本の総数である。各組で胴体２の軸心方向に配置された複数本の羽根１２は、互いに、分離されている。よって、球が１組を構成する複数本の羽根１２に衝突しても、１組を構成する複数本の羽根１２が個別に動き、種々の形状に変化するという利点がある。
【００１７】
図６は、異なる第４の形態に係る風車装置１を示す。図６のａ図に示すように、羽根４（図１参照）に相当する羽根１３が、胴体２の周面から径方向外側に渦巻き状に突出するように、胴体２に設けられる。図６のｂ図に示すように、胴体２が支柱５で遊技盤２１に回転可能に取り付けられ、遊技盤２１が遊技機枠３１（図７参照）に格納された場合、羽根１３は遊技領域２３および前面パネル３２から分離される。
【００１８】
図示はしないが、羽根４；１２は、１個、２個、４個以上であってもよい。羽根４；１２が複数である場合、少なくとも１個の羽根４；１２が球の衝突で撓み得る弾性体で形成され、残りの少なくとも１個の羽根４；１２が球の衝撃に耐えるための弾性の乏しい形状であってもよい。
【図面の簡単な説明】
【００１９】
【図１】ａ図は風車装置の分解斜視図、ｂ図は風車装置の正面図、ｃ図は風車装置の取り付けられた遊技盤が遊技機枠に格納された断面図（最良の形態）。
【図２】ａ図乃至ｄ図は風車装置の種々の作用を示す正面図（最良の形態）。
【図３】ａ図は風車装置の正面図、ｂ図は風車装置の取り付けられた遊技盤が遊技機枠に格納された断面図（異なる第１の形態）。
【図４】ａ図およびｂ図は風車装置の羽根の構造図（異なる第２の形態）。
【図５】ａ図は風車装置の正面図、ｂ図は風車装置の取り付けられた遊技盤が遊技機枠に格納された断面図（異なる第３の形態）。
【図６】ａ図は風車装置の正面図、ｂ図は風車装置の取り付けられた遊技盤が遊技機枠に格納された断面図（異なる第４の形態）。
【図７】パチンコ遊技機の正面図（従来）。
【符号の説明】
【００２０】
１    風車装置
２    胴体
３    軸受孔
４    羽根
５    支柱
１２  羽根
１３  羽根
【図１】
2007244434.tif 000003
【図２】
2007244434.tif 000004
【図３】
2007244434.tif 000005
【図４】
2007244434.tif 000006
【図５】
2007244434.tif 000007
【図６】
2007244434.tif 000008
【図７】
2007244434.tif 000009